(57)【要約】【課題】スーパーマーケットなどで客が買物をしながら簡単な操作で随時購入金額が確認できる購入金額表示システムを提供すること。【解決手段】商品パッケージに印刷してあるバーコードを読み取り、バーコードの情報を無線通信によって送信し、受信した商品価格をもとに購入合計価格を表示する購入金額表示装置１と、購入金額表示装置１から送信されるバーコード情報を受信し、商品価格データを返信する棚札装置３とを備えている。これにより、商品に印刷してあるバーコードを読み取らせることにより、棚札装置３から受信した商品価格を計算し表示するので、電子棚札システム２と連携することにより価格変更にも自動的に対応し、例えばＰＯＳ登録価格と同じ価格で算出することにより、そのための労力を必要とせず、価格トラブルもなく客の利便性を図ることができるものである。【選択図】図２
2006334206.tif 000002
【特許請求の範囲】
【請求項１】
商品パッケージに印刷してあるバーコードを読み取り、前記バーコードの情報を該当する棚札装置に無線通信によって送信し、返信されてくる商品価格データをもとに購入合計金額を表示する購入金額表示装置と、前記購入金額表示装置と送受信し、表示された前記商品価格データを送信するひとつまたは複数の棚札装置とを備えた購入金額表示システム。
【請求項２】
購入金額表示装置は、客が購入する商品のパッケージに印刷されているバーコードを読み取る読み取り手段と、読み取った前記バーコード情報から得られる該当の前記棚札装置に前記購入金額表示装置のアドレスを送信する送信手段と、前記棚札装置から返信されてくる商品価格データを受信する受信手段と、受信した前記商品価格データを既に記憶手段に記憶しているそれまでの購入合計金額に加算する算出手段と、算出した前記購入合計金額を記憶しておく記憶手段と、算出した前記購入合計金額を表示する表示手段とを備えた請求項１に記載の購入金額表示システム。
【請求項３】
購入金額表示装置は、一旦、バーコードを読み取らせた商品を返品するときに、キャンセルキーを押し返品する商品のバーコードを読み取らせることで購入合計金額から減算するキャンセル手段を備えた請求項１に記載の購入金額表示システム。
【請求項４】
棚札装置は、常に最新の商品価格データを表示するためにストアコントローラからの商品価格データを棚札コントローラを介して受信したり、購入金額表示装置から送信されるバーコード情報を受信する受信手段と、受信した前記商品価格データを記憶する記憶手段と、記憶した前記商品価格データを表示する表示手段と、受信した前記購入金額表示装置のアドレスをもとに前記記憶手段に記憶されている前記商品価格データを該当の購入金額表示装置に送信する送信手段とを備えた請求項１に記載の購入金額表示システム。
【請求項５】
請求項１〜４のいずれか１項に記載の購入金額表示システムにおける機能の少なくとも一部をコンピュータに実行させるためのプログラム。
【発明の詳細な説明】
【技術分野】
【０００１】
本発明は、スーパーマーケットなどで客が買物をしながら都度購入合計額を確認できるもので、双方向通信可能な無線技術を活用し、商品に印刷してあるバーコード情報を送受信することにより、自動的に購入額を計算し表示するもので、店の電子棚札システムと連結することにより、価格変更に自動的に対応し、レジ登録価格と同じ価格で算出することにより、そのための労力を必要とせず、価格トラブルもなく客の利便性を図ることができる購入金額表示システムおよびそのプログラムに関するものである。
【背景技術】
【０００２】
従来、この種の購入金額表示システムとしては、スーパーマーケットなどの買物かごに設置したバーコード読み取り装置に客が購入する商品のバーコードを読ませ、購入合計金額を知ることができるものが提案されている（例えば、特許文献１参照）。
【０００３】
これは、買物かごの後部に設置されているもので、バーコード読み取り部、金額追加キー、金額削除キー、合計金額表示部、商品検索を行う価格照会部、価格計算をおこなう合計価格演算部、合計金額を記憶する記憶部で構成されている。
【特許文献１】特開平２−２７７４１２号公報
【発明の開示】
【発明が解決しようとする課題】
【０００４】
スーパーマーケットなどで予算内で買物をしたいときなど、電卓を使用したり、暗算しながら買物をしなければならず大変わずらわしいものである。前記従来の特許文献もこの点を改善することを目的にしたものである。
【０００５】
しかしながら、前記従来の特許文献の構成では、商品の価格情報は各買物かごに設定されているため、店では価格変更をしたり、その日の特売品やタイムサービス品などがある場合にはその都度価格変更を全ての買物かごに設定し直さなければならず、かなりの労力が必要で店の負担は非常に大きいものとなる。
【０００６】
本発明は、前記従来の課題を解決するもので、店は労力を掛けずに客へのサービス向上につなげることができ、客も簡単な操作で確実な購入金額を確認しながら買物ができる購入金額表示システムを提供することを目的とする。
【課題を解決するための手段】
【０００７】
前記従来の課題を解決するために、本発明の購入金額表示システムおよびそのプログラムは、例えばスーパーマーケットなどの買物カートに取り付けて使用するもので、商品パッケージに印刷してあるバーコードを読み取り、前記バーコードの情報を該当する棚札装置に無線通信によって送信し、返信されてくる商品価格データをもとに購入合計金額を表示する購入金額表示装置と、前記購入金額表示装置と送受信し、表示された前記商品価格データを送信するひとつまたは複数の棚札装置とを備えている。
【０００８】
これにより、商品に印刷してあるバーコードを読み取らせて送信することにより、該当する棚札装置から受信した商品価格を計算し表示するので、電子棚札システムと連携することにより価格変更にも自動的に対応し、例えばＰＯＳ登録価格と同じ価格で算出することにより、そのための労力を必要とせず、価格トラブルもなく客の利便性を図ることができるものである。
【発明の効果】
【０００９】
本発明の購入金額表示システムおよびそのプログラムは、スーパーマーケットなどで客は簡単な操作で確実な購入金額を確認しながら予算に合う買物を楽しむことができ、電子棚札システムと連携することにより価格変更にも自動的に対応し、そのための労力を必要としない。例えばＰＯＳ登録価格と同じ価格で算出することにより、価格トラブルもなく客へのサービス向上を図ることができるものである。
【発明を実施するための最良の形態】
【００１０】
第１の発明は、例えばスーパーマーケットなどの買物カートに取り付けて使用するもので、商品パッケージに印刷してあるバーコードを読み取り、前記バーコードの情報を該当する棚札装置に無線通信によって送信し、返信されてくる商品価格データをもとに購入合計金額を表示する購入金額表示装置と、前記購入金額表示装置と送受信し、表示された前記商品価格データを送信するひとつまたは複数の棚札装置とを備えたことにより、客は簡単な操作で購入合計金額を確認しながら買物をすることができ、店側も価格変更にも自動的に対応できるので、そのための労力を必要とせず客へのサービス向上を図ることができるものである。
【００１１】
第２の発明は、特に第１の発明において、購入金額表示装置は、客が購入する商品のパッケージに印刷されているバーコードを読み取る読み取り手段と、読み取った前記バーコード情報から得られる該当の前記棚札装置に前記購入金額表示装置のアドレスを送信する送信手段と、前記棚札装置から返信されてくる商品価格データを受信する受信手段と、受信した前記商品価格データを既に記憶手段に記憶しているそれまでの購入合計金額に加算する算出手段と、算出した前記購入合計金額を記憶しておく記憶手段と、算出した前記購入合計金額を表示する表示手段とを備えたことにより、客は簡単な操作でリアルタイムに購入合計金額を確認することができ、予算に合う買物を楽しむことができる。
【００１２】
第３の発明は、特に第１の発明において、購入金額表示装置は、一旦、バーコードを読み取らせた商品を返品するときに、キャンセルキーを押し返品する商品のバーコードを読み取らせることで購入合計金額から減算するキャンセル手段を備えたことにより、客は簡単な操作で返品後の購入合計金額をリアルタイムに確認することができ、予算に合う買物を楽しむことができる。
【００１３】
第４の発明は、特に第１の発明において、棚札装置は、常に最新の商品価格データを表示するためにストアコントローラからの商品価格データを棚札コントローラを介して受信したり、購入金額表示装置から送信される購入金額表示装置のアドレスを受信する受信手段と、受信した商品価格データを記憶する記憶手段と、記憶した商品価格データを表示する表示手段と、受信した購入金額表示装置アドレスをもとに記憶手段に記憶されている商品価格データを該当の購入金額表示装置に送信する送信手段とを備えたことにより、レジ登録価格と同じ価格で算出することにより、そのための労力を必要とせず、価格トラブルもなく客の利便性を図ることができるものである。
【００１４】
第５の発明は、特に第１〜第４のいずれか１つの発明における購入金額表示システムの機能の少なくとも一部をコンピュータに実行させるためのプログラムとしたことにより、プログラムであるので電気・情報機器、コンピュータ、サーバー等のハードリソースを協働させて本発明の購入金額表示システムの一部あるいは全てを容易に実現することができる。また記録媒体に記録したり通信回線を用いてプログラムを配信したりすることでプログラムの配布・更新やそのインストール作業が簡単にできる。
【００１５】
以下、本発明の実施の形態について、図面を参照しながら説明する。なお、この実施の形態によって本発明が限定されるものではない。
【００１６】
（実施の形態１）
図１、図２は、本発明の実施の形態１における購入金額表示システムを示すものである。
【００１７】
図１は、本実施の形態における購入金額表示装置１の外観を示すもので、購入金額表示装置１はスーパーマーケットなどの買物カート１０１に取り付けて使用することを想定し、購入金額表示装置１を稼動させるスタートキー１０３と、商品パッケージに印刷してあるバーコードを読み取るバーコード読み取り部１０２と、購入合計価格を表示する購入金額表示部１０５と、一旦、バーコードを読み取らせた商品を返品するときに操作するキャンセルキー１０４を設けたもので、商品を買物カート１０１に入れる動作に合わせてバーコードを読み取ることができるような設計とする。
【００１８】
図２は、本実施の形態における購入金額表示システムの全体構成および各装置の構成説明図である。
【００１９】
本構成はスーパーマーケットなどの買物カートに取り付けて使用する購入金額表示装置１と、購入金額表示装置１から送信される購入金額表示装置１の装置アドレスおよびストアコントローラ５から発信される商品価格データを棚札コントローラ４を介して受信し、商品価格データを送信する電子棚札システム２の価格表示部である棚札装置３ａ、３ｂとで構成する。棚札装置は一つまたは複数であり、商品の数に合わせてそれぞれに１つの棚札装置が存在して、その商品の価格を記憶・表示して購入金額表示装置に送信する。
【００２０】
購入金額表示装置１と棚札装置３ａは、それぞれ双方向通信可能な無線送受信手段を内蔵し、無線通信によってデータを送受信するようにした。この場合、購入金額表示装置１は移動して使用する買物カートに取り付けるため通信距離や通信スピード、障害物などを考慮すると、双方向通信可能な特定小電力無線などの利用が最適と考える。また、この無線通信では、データ通信時以外は待受の状態であるため消費電力は極小で済むことになる。
【００２１】
なお、電子棚札システム２は、スーパーマーケットなどに導入されストアコントローラー５と連結し、商品陳列棚に取り付け商品価格などを表示する液晶表示部をもつ棚札で、ストアコントローラー５で設定された価格情報と連携し、同じくストアコントローラー５と連結されているＰＯＳシステムと連動する仕組みになってためレジの売価は常に一致している。
【００２２】
購入金額表示装置１は、商品に印刷されたバーコードを読み取る読み取り手段１１と、読み取ったバーコードデータをもとに該当する棚札装置３ａに購入金額表示装置１の装置アドレスを送信する送信手段１２と、棚札装置３ａから送信されてくる商品価格データを受信する受信手段１３と、受信した商品価格データをそれまでの購入合計金額に加算する算出手段１４と、購入合計金額を表示する表示手段１５と、それまでの購入合計金額を記憶する記憶手段１６と、一旦、バーコードを読み取らせた商品を返品するときに算出手段１４に減算指示するキャンセル手段１７と、記憶手段１６から該当の商品価格を抽出する価格抽出手段１８と、購入金額表示装置１の装置アドレスを記憶する装置アドレス管理手段１９からなる。
【００２３】
棚札装置３ａは、常に最新の商品価格データを保持するためにストアコントローラー５で設定される商品価格データを棚札コントローラ−４を介して受け取ったり、購入金額表示装置１から送信される装置アドレスを受信する受信手段３１と、受け取った商品価格データを記憶する記憶手段３４と、受け取った商品価格データを数字に変換して表示する表示手段３３と、記憶手段３４に記憶されている商品価格データを購入金額表示装置１に送信する送信手段３２からなる。
【００２４】
本実施の形態における購入金額表示システムの動作・作用について、図１および図２を用いて説明する。
【００２５】
まず、客が買物カートに取り付けてある購入金額表示装置１のスタートキー１０５を操作することで使用可能状態となり、購入する商品のパッケージに印刷してあるバーコードをバーコード読み取り部１０２に近づけると、読み取り手段１１によりバーコードの中から棚札装置３ａのアドレスを示すキャラクタを読み取り、該当する棚札装置３ａを認識し、装置アドレス管理手段１９で管理されている購入金額表示装置１の装置アドレスを該当の棚札装置３ａに送信手段１２で送信する。読み取った棚札装置３のアドレスを示すキャラクタは記憶手段１６に記憶される。
【００２６】
該当の棚札装置３は送信されたきた購入金額表示装置１のアドレスを受信手段３１で受信し、記憶手段３４に記憶している商品価格データを送信されたきたアドレスに該当する購入金額表示装置１に送信手段２２で送信する。
【００２７】
該当の購入金額表示装置１は、棚札装置３から送信されてきた商品価格データを受信手段１３で受信し、記憶手段１６に記憶されている当該のアドレスを示すキャラクタに価格データを記憶させると同時に、それまでの購入合計金額と算出手段１４により合算し、表示手段１５により購入金額表示部１０５に表示し、記憶手段１６により記憶する。
【００２８】
次に、一旦、バーコードで読み取らせた商品を返品するときの動作であるが、購入金額表示装置１のキャンセルキー１０４を操作してから、返品する商品のバーコードをバーコード読み取り部１０２に近づけると、読み取り手段１１によりバーコードのキャラクタを読み取り、記憶手段１６に記憶しているキャラクタの中から価格抽出手段１８により読み取ったバーコードと同じキャラクタの商品価格データを抽出し、記憶手段１６に記憶されているそれまでの購入合計金額から算出手段１４により減算して、減算した購入合計金額を表示手段１５により購入金額表示部１０５に表示すると同時に記憶手段１６により記憶する。
【００２９】
また、スーパーマーケットの更なる情報サービスとして購入した商品の情報を知らせることも考えられる。例えば、食材に付いているバーコードを読み取らせると、その食材を使ったレシピ情報を表示することができ、客へのサービスとともにそのレシピに必要な他の食材も売れ、売上アップにつながることにもなる。
【００３０】
この場合、レシピデータは無線送受信手段内臓のストアコントローラに収納され、購入金額表示装置に情報取得キーを設け、店内に無線送受信手段内臓の専用モニタとそれと連携するプリンタを設置する。食材情報を得たい客は専用モニタの前で情報取得キーを操作し、食材に付いているバーコードを読み取らせるとバーコードデータはストアコントローラに送信され、バーコードデータが示す食材を使った料理データをピックアップし、専用モニタに返信され専用モニタに表示される。必要であればその内容をプリントアウトすることもできる。
【００３１】
なお、棚札コントローラ４を介さずに棚札装置３ａ、３ｂとストアコントローラ５とを直接接続する形態でも構わない。
【００３２】
なお、本実施の形態の購入金額表示システムにおける機能の少なくとも一部をコンピュータに実行させるためのプログラムとすることができる。すなわち、実施の形態で説明した手段は、ＣＰＵ（またはマイコン）、ＲＡＭ、ＲＯＭ、記憶・記録装置Ｉ／Ｏなどを備えた電気・情報機器、コンピュータ、サーバーなどのハードリソースを協働させるプログラムの形態で実施してもよい。プログラムの形態であれば、磁気メディアや光メディアなどの記録媒体に記録することで新しい機能の配布・更新やそのインストール作業が簡単にできる。
【産業上の利用可能性】
【００３３】
以上のように、本発明にかかる購入金額表示システムおよびそのプログラムは、移動させる商品をバーコードを読み取ることで簡単に、確実に認識することができるので頻繁に入出庫する商品の在庫管理や厳密な管理の必要な薬品の管理などにも利用できる。
【図面の簡単な説明】
【００３４】
【図１】本発明の実施の形態１における購入金額表示システムの購入金額表示装置１の外観図
【図２】本発明の実施の形態１における購入金額表示システムの構成図
【符号の説明】
【００３５】
１  購入金額表示装置
２  電子棚札システム
３ａ、３ｂ  棚札装置
４  棚札コントローラ
５  ストアコントローラ
１１  読み取り手段
１２、３１  送信手段
１３、３２  受信手段
１４  算出手段
１５、３３  表示手段
１６、３４  記憶手段
１７  キャンセル手段
１８  価格抽出手段
１９  装置アドレス管理手段
１０２  バーコード読み取り部
１０３  スタートキー
１０４  キャンセルキー
１０５  購入金額表示部
【図１】
2006334206.tif 000003
【図２】
2006334206.tif 000004